(57)【要約】【課題】モータに結露が生じるおそれを低減することができる空調室内機の提供。【解決手段】空調室内機は、吹出流路２１の内部空間に配置される垂直フラップ５１と、垂直フラップ５１の姿勢を左右方向に変更するために垂直フラップ５１に連結されている連結部材と、連結部材を移動させるためのモータとを備える。吹出流路２１を構成する流路形成部材２２には、連結部材が貫通する貫通開口２５ｂが形成されている。モータは、吹出流路２１の外部空間であって、貫通開口２５ｂを介して内部空間と連通しているモータ配置空間に配置されている。連結部材には、垂直フラップ５１が所定姿勢のときに、貫通開口２５ｂを介して内部空間からモータ配置空間へと吹出空気が流れ込むことを抑制するための防風部材３６が固定されている。【選択図】図３
2013238382.tif 000002
【特許請求の範囲】
【請求項１】
吹出口（１５）に繋がる吹出流路（２１）を構成する流路形成部材（２２）を有するケーシング（１２）と、
前記吹出流路の内部空間（Ｓ１）に配置されており、姿勢を変更することで、前記吹出口から吹き出される吹出空気の左右方向の向きを変更するフラップ（５１，６１）と、
前記フラップの姿勢を左右方向に変更するために、前記フラップに連結されている連結部材（３５，４５）と、
前記連結部材を移動させるためのモータ（３１，４１）と、
を備え、
前記流路形成部材は、前記連結部材が貫通する開口（２５ｂ，２６ｂ）が形成されている開口形成部（２５ａ）を含み、
前記モータは、前記吹出流路の外部空間（Ｓ２）であって、前記開口を介して前記内部空間と連通するモータ配置空間（Ｓ３）に配置されており、
前記連結部材には、前記フラップが所定姿勢のときに、前記開口を介して前記内部空間から前記モータ配置空間へと吹出空気が流れ込むことを抑制するための防風部材（３６，４６）が固定され、或いは、一体成形されている、
空調室内機（１０）。
【請求項２】
前記防風部材は、前記フラップの姿勢が前記開口を介して前記内部空間から前記モータ配置空間へと最も吹出空気が流れ込みやすい姿勢のときに、前記開口を塞ぐ、
請求項１に記載の空調室内機。
【請求項３】
前記連結部材は、主として左右方向に移動する、
請求項１又は２に記載の空調室内機。
【請求項４】
前記連結部材は、前記開口形成部に交差する方向に往復移動し、
前記防風部材は、前記連結部材が往復移動のストローク端にあるときに、前記開口を塞ぐ、
請求項１から３のいずれか１項に記載の空調室内機。
【請求項５】
前記防風部材は、前記内部空間に配置されている、
請求項１から４のいずれか１項に記載の空調室内機。
【請求項６】
前記防風部材は、前記モータ配置空間に配置されている、
請求項１から４のいずれか１項に記載の空調室内機。
【請求項７】
前記流路形成部材は、前記開口に向かう空気流れを遮るために、前記開口よりも空気流れ上流側において前記吹出流路の内側に突出するように設けられている遮蔽部（８０ａ）を有する、
請求項１から６のいずれか１項に記載の空調室内機。
【請求項８】
前記防風部材と前記開口形成部との間に配置されており、前記連結部材の移動方向に伸縮自在な蛇腹部材（８１）を更に備え、
前記蛇腹部材は、前記連結部材が移動されて前記防風部材が前記開口に近接することで、前記防風部材とともに前記開口を塞ぐ、
請求項１から７のいずれか１項に記載の空調室内機。
【発明の詳細な説明】
【技術分野】
【０００１】
本発明は、空調室内機に関する。
【背景技術】
【０００２】
従来より、吹出口から吹き出される吹出空気の左右方向の向きを変更するためのフラップを備える空調室内機がある。
【０００３】
例えば、特許文献１（特開２０１１−３３３０６号公報）に開示されている空気調和機の風向変更装置では、吹出口に繋がる送風通路内に配置された左右フラップの姿勢が左右方向に変更されることで、吹出口から吹き出される吹出空気の左右方向の向きが変更されている。この空調室内機では、左右フラップは、送風通路内に、すなわち、送風通路の内部空間に配置される一方で、左右フラップの姿勢を変更するためのモータは、吹出口を構成する側壁の外側に、すなわち、送風通路の外部空間に配置されている。そして、側壁に形成された開口を貫通するように配置された摺動軸を介して、モータの駆動力が左右フラップに伝達されることで、左右フラップの姿勢が変更されている。
【発明の概要】
【発明が解決しようとする課題】
【０００４】
ところで、吹出空気の流れる吹出流路を構成する流路形成部材に開口が形成されている場合、フラップによって吹出空気の向きが変更されることで、吹出流路の内部空間を流れる吹出空気が、開口を介して吹出流路の外部空間に流れ込むことがある。このため、特許文献１に開示されているように、フラップの姿勢を変更させるためのモータが、開口を介して吹出流路の内部空間と連通している吹出流路の外部空間に配置されている場合、吹出空気が開口を介して吹出流路の外部空間に流れ込むことで、モータに結露が生じるおそれがある。
【０００５】
そこで、本発明の課題は、モータに結露が生じるおそれを低減することができる空調室内機を提供することにある。
【課題を解決するための手段】
【０００６】
本発明の第１観点に係る空調室内機は、ケーシングと、フラップと、連結部材と、モータと、を備える。ケーシングは、流路形成部材を有する。流路形成部材は、吹出口に繋がる吹出流路を構成する。フラップは、吹出流路の内部空間に配置されている。また、フラップは、姿勢を変更することで、吹出口から吹き出される吹出空気の左右方向の向きを変更する。連結部材は、フラップの姿勢を左右方向に変更するために、フラップに連結されている。モータは、連結部材を移動させるためのものである。また、流路形成部材は、開口形成部を含む。開口形成部には、連結部材が貫通する開口が形成されている。さらに、モータは、モータ配置空間に配置されている。モータ配置空間とは、吹出流路の外部空間であって、前記開口を介して内部空間と連通している空間である。そして、連結部材には、防風部材が固定され、或いは、一体成形されている。防風部材は、フラップが所定姿勢のときに、前記開口を介して内部空間からモータ配置空間へと吹出空気が流れ込むことを抑制するための部材である。
【０００７】
本発明の第１観点に係る空調室内機では、連結部材には、連結部材の貫通する開口を介して、吹出流路の内部空間からモータ配置空間へと吹出空気が流れ込むことを抑制するための防風部材が固定され、或いは、一体成形されている。このため、前記開口を介して吹出空気がモータ配置空間へと流れ込み難くなっている。したがって、モータが、吹出流路の外部空間であって、前記開口を介して吹出流路の内部空間と連通しているモータ配置空間に配置されていても、モータに結露が生じるおそれを低減することができる。
【０００８】
本発明の第２観点に係る空調室内機は、第１観点の空調室内機において、フラップの姿勢が前記開口を介して内部空間からモータ配置空間へと最も吹出空気が流れ込みやすい姿勢のときに、防風部材が前記開口を塞ぐ。この空調室内機では、フラップの姿勢が開口を介して内部空間からモータ配置空間へと最も吹出空気が流れ込みやすい姿勢のときに防風部材によって前記開口が塞がれるため、前記開口を介してモータ配置空間へと空気が流れ込むおそれを低減することができる。
【０００９】
本発明の第３観点に係る空調室内機は、第１観点又は第２観点の空調室内機において、連結部材は、主として左右方向に移動する。この空調室内機では、連結部材が主として左右方向に移動することで、フラップの姿勢を変更することができる。
【００１０】
本発明の第４観点に係る空調室内機は、第１観点から第３観点のいずれかの空調室内機において、連結部材は、開口形成部に交差する方向に往復移動する。また、防風部材は、連結部材が往復移動のストローク端にあるときに、前記開口を塞ぐ。この空調室内機では、連結部材が往復移動のストローク端にあるときに、前記開口を塞ぐことができる。
【００１１】
本発明の第５観点に係る空調室内機は、第１観点から第４観点のいずれかの空調室内機において、防風部材は、内部空間に配置されている。この空調室内機では、防風部材が内部空間に配置されているため、防風部材の構成が、フラップが所定姿勢のときに開口を塞ぐ構成である場合には、吹出流路の内側から開口を塞ぐことができる。
【００１２】
本発明の第６観点に係る空調室内機は、第１観点から第４観点のいずれかの空調室内機において、防風部材は、モータ配置空間に配置されている。この空調室内機では、防風部材がモータ配置空間に配置されているため、防風部材の構成が、フラップが所定姿勢のときに開口を塞ぐ構成である場合には、吹出流路の外側から開口を塞ぐことができる。
【００１３】
本発明の第７観点に係る空調室内機は、第１観点から第６観点の空調室内機において、流路形成部材は、遮蔽部を有する。遮蔽部は、開口に向かう空気流れを遮るために、前記開口よりも空気流れ上流側において吹出流路の内側に突出するように設けられている。この空調室内機では、遮蔽部によって開口に向かう空気流れが遮られるため、前記開口を介してモータ配置空間へと空気が流れ込むおそれを更に低減することができる。
【００１４】
本発明の第８観点に係る空調室内機は、第１観点から第７観点のいずれかの空調室内機において、蛇腹部材を備える。蛇腹部材は、防風部材と開口形成部との間に配置されている。また、蛇腹部材は、連結部材の移動方向に伸縮自在である。さらに、蛇腹部材は、連結部材が移動されて防風部材が開口に近接することで、防風部材とともに開口を塞ぐ。この空調室内機では、防風部材とともに開口を塞ぐ蛇腹部材があることで、防風部材と開口形成部との間に隙間が生じにくくなり、この結果、開口からモータ配置空間へと吹出空気が漏れるおそれを低減することができる。これにより、前記開口を介してモータ配置空間へと空気が流れ込むおそれを更に低減することができる。
【発明の効果】
【００１５】
本発明の第１観点に係る空調室内機では、モータに結露が生じるおそれを低減することができる。
【００１６】
本発明の第２観点に係る空調室内機では、開口を介してモータ配置空間へと空気が流れ込むおそれを低減することができる。
【００１７】
本発明の第３観点に係る空調室内機では、連結部材が主として左右方向に移動することで、フラップの姿勢を変更することができる。
【００１８】
本発明の第４観点に係る空調室内機では、連結部材が往復移動のストローク端にあるときに、前記開口を塞ぐことができる。
【００１９】
本発明の第５観点に係る空調室内機では、防風部材の構成が、フラップが所定姿勢の時に開口を塞ぐ構成である場合には、吹出流路の内側から開口を塞ぐことができる。
【００２０】
本発明の第６観点に係る空調室内機では、防風部材の構成が、フラップが所定姿勢の時に開口を塞ぐ構成である場合には、吹出流路の外側から開口を塞ぐことができる。
【００２１】
本発明の第７観点に係る空調室内機では、前記開口を介してモータ配置空間へと空気が流れ込むおそれを更に低減することができる。
【００２２】
本発明の第８観点に係る空調室内機では、前記開口を介してモータ配置空間へと空気が流れ込むおそれを更に低減することができる。
【図面の簡単な説明】
【００２３】
【図１】空調室内機を備える空気調和機の正面図。
【図２】空調室内機の断面図。
【図３】空調室内機の吹出口近傍を示す図。
【図４】空調室内機の縦断面の概念図。
【図５】水平フラップ駆動機構の移動方向を説明するための図。
【図６】正面吹き姿勢を採る垂直フラップにおいて、（ａ）垂直フラップによって規制された吹出空気の空気流れ方向を示す概念図、（ｂ）防風部材の位置を示す図。
【図７】左右吹き姿勢を採る垂直フラップにおいて、（ａ）垂直フラップによって規制された吹出空気の空気流れ方向を示す概念図、（ｂ）防風部材の位置を示す図。
【図８】変形例Ａに係る水平フラップ駆動機構を説明するための図。
【図９】変形例Ｂに係る流路形成部材を説明するための図。
【図１０】変形例Ｃに係る蛇腹部材を説明するための図。
【発明を実施するための形態】
【００２４】
以下、図面を参照しながら、本発明の一実施形態に係る空調室内機１０について説明する。なお、以下の実施形態は、本発明の具体例であって、本発明の技術的範囲を限定するものではない。
【００２５】
（１）空調室内機の構成
図１は、本発明の一実施形態に係る空調室内機１０を備える空気調和機９０の正面図である。この空調室内機１０は、室内の壁面に取り付けられる壁掛け型の室内機である。また、空調室内機１０は、室外に配置される室外機９１と冷媒配管９２を介して接続されて空気調和機９０を構成しており、室内の冷房運転や暖房運転等の各種運転を行う。
【００２６】
空調室内機１０は、図２に示すように、主として、ケーシング１２、室内熱交換器１３、室内ファン１４、垂直フラップ５１，６１、及び、垂直フラップ駆動機構３０，４０（図４参照）を備えている。
【００２７】
ケーシング１２は、空調室内機１０の外郭を構成する本体ケーシング１１を有しており、本体ケーシング１１の内部には、室内熱交換器１３、室内ファン１４、流路形成部材２２、垂直フラップ５１，６１、及び、垂直フラップ駆動機構３０，４０が収納されている。
【００２８】
また、本体ケーシング１１の上部には、本体ケーシング１１内に室内の空気を吸い込むための吸込口１９が設けられている。吸込口１９は、吸込流路２０によって本体ケーシング１１の内部と繋がっている。また、本体ケーシング１１の下部には、吹出口１５が設けられている。吹出口１５は、吹出流路２１によって本体ケーシング１１の内部と繋がっている。そして、吸込流路２０及び吹出流路２１は、流路形成部材２２によって形成されている。
【００２９】
室内熱交換器１３及び室内ファン１４は、流路形成部材２２に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、空気流れを形成することができるクロスフローファンであり、室内から吸込口１９を介して本体ケーシング１１内に取り込んだ空気を、室内熱交換器１３に当てて通過させた後、本体ケーシング１１内から室内に吹き出す。
【００３０】
垂直フラップ５１，６１は、吹出流路２１内に、すなわち、吹出流路２１の内部空間Ｓ１に配置されており（図３及び図４参照）、垂直フラップ駆動機構３０，４０によって駆動されてその姿勢を変更することで、吹出口１５から吹き出される吹出空気の左右方向の向きを変更する。
【００３１】
垂直フラップ駆動機構３０，４０は、垂直フラップ５１，６１の姿勢を変更するために垂直フラップ５１，６１に連結されている連結部材３５，４５と、連結部材３５，４５を移動させるためのモータ３１，４１と、を有している（図４参照）。連結部材３５，４５には、垂直フラップ５１が所定姿勢を採るときに、貫通開口２５ｂ，２６ｂを介して吹出流路２１の内部空間Ｓ１から、モータ３１，４１の配置されているモータ配置空間Ｓ３へと吹出空気が流れ込むことを抑制するための防風部材３６，４６が設けられている。
【００３２】
なお、空調室内機１０の具体的な構成は、上記のものに限定されるものではなく、垂直フラップの姿勢を変更するために垂直フラップに連結されている連結部材に、垂直フラップが所定姿勢を採るときに貫通開口を介して吹出流路の内部空間からモータ配置空間へと吹出空気が流れ込むことを抑制するための防風部材が設けられていれば、他の機器構成であってもよい。
【００３３】
（２）詳細構成
（２−１）ケーシング
ケーシング１２は、本体ケーシング１１と、流路形成部材２２と、を備えている。
【００３４】
本体ケーシング１１は、天面部１１ａ、前面パネル１１ｂ、背面板１１ｃ、及び、下部水平板１１ｄを有している。天面部１１ａは、本体ケーシング１１の上部を構成している。また、吸込口１９は、天面部１１ａの前部に設けられている。前面パネル１１ｂは空調室内機１０の前面部を構成しており、吸込口がないフラットな形状を成している。背面板１１ｃは、本体ケーシング１１の背面を構成しており、室内の壁面に設置された取付板（図示せず）にビス止め等によって取り付けられることで、空調室内機１０が室内の壁面に設置されることになる。
【００３５】
下部水平板１１ｄは、本体ケーシング１１の下面（底面）を構成しており、図２に示すように、背面板１１ｃの下端から後述するスクロール部２４の下端部近傍まで延びている。
【００３６】
流路形成部材２２は、吸込流路２０及び吹出流路２１を含む空気流路を構成する部材であって、本体ケーシング１１内を、空気流路の内部空間Ｓ１と外部空間Ｓ２とに仕切っている。また、流路形成部材２２は、吹出流路２１を構成する吹出流路形成部２３を有する。吹出流路形成部２３は、スクロール部２４と、側壁部２５，２６と、を有している。
【００３７】
スクロール部２４は、吹出流路２１の底面部（下部）を構成する部分であって、図２に示すように、室内ファン１４の後側（背面側）から吹出口１５の後縁部近傍へと滑らかに延びるスクロール面を含む。このため、吹出流路２１はスクロール部２４に沿った形状になっている。側壁部２５，２６は、吹出流路２１の側面部を構成する部分である。また、側壁部２５，２６は、空調室内機１０の正面視において、右側に位置する右側壁部２５と、左側に位置する左側壁部２６と、を有する。また、右側壁部２５及び左側壁部２６には、後述する連結部材３５，４５のアーム３３，４３が貫通する貫通開口２５ｂ，２６ｂが形成されている（図３及び図４参照）。
【００３８】
吹出口１５は、本体ケーシング１１の長手方向に長い開口である。そして、室内の空気は、室内ファン１４の稼働によって、吸込空気として、吸込口１９を介して吸込流路２０を経て室内ファン１４に吸い込まれ、吹出空気として、吹出流路２１を経て吹出口１５を介して吹き出される。
【００３９】
さらに、吹出流路２１の内部空間Ｓ１のうち吹出口１５近傍の部分には、複数の垂直フラップ５１，６１が配置されている。複数の垂直フラップ５１，６１は、図４に示すように、連結棒３２，４２で連結されることで、２つのフラップ群５０，６０を構成している。なお、以下より、説明の便宜上、空調室内機１０の正面視において、右側に位置するフラップ群を右側フラップ群５０といい、左側に位置するフラップ群を左側フラップ群６０という。右側フラップ群５０及び左側フラップ群６０は、垂直フラップ駆動機構３０，４０によって駆動されることで、フラップ群毎に所定の姿勢を採ることができる。さらに、吹出口１５近傍には、吹出口１５を開閉するための水平フラップ１６が設けられている。水平フラップ１６は、モータ（図示せず）によって回動されることで、傾斜角度の異なる複数の姿勢を採ることができる。これにより、水平フラップ１６は、吹出口１５を閉じるだけでなく、吹出空気の上下方向の流れを変更することができる。
【００４０】
（２−２）垂直フラップ駆動機構
垂直フラップ駆動機構３０，４０は、右側フラップ群５０の姿勢を変更するための右側駆動機構３０と、左側フラップ群６０の姿勢を変更するための左側駆動機構４０とから構成されている。右側駆動機構３０、及び、左側駆動機構４０は、それぞれ、垂直フラップ５１，６１の姿勢を左右方向に変更するために垂直フラップ５１，６１と直接、或いは、間接的に連結している連結部材３５，４５と、連結部材３５，４５を移動させるためのモータ３１，４１と、を有している。そして、連結部材３５の有する連結棒３２には、右側フラップ群５０の有する複数枚の垂直フラップ５１が、所定の間隔をあけて連結されており、連結部材４５の有する連結棒４２には、左側フラップ群６０の有する複数枚の垂直フラップ６１が、所定の間隔をあけて連結されている。このため、右側フラップ群５０と左側フラップ群６０とは、それぞれ独立駆動され、それぞれ異なる姿勢を採ることもできる。ここで、右側駆動機構３０と左側駆動機構４０とは、左右対称の構成であるため、以下では、右側駆動機構３０についてのみ説明し、左側駆動機構４０の構成については、右側駆動機構３０の３０番台の符号を４０番台の符号に置き換えるとともに説明を省略する。
【００４１】
モータ３１は、吹出流路２１の外部空間Ｓ２であって、貫通開口２５ｂを介して吹出流路２１の内部空間Ｓ１と連通している空間であるモータ配置空間Ｓ３に配置されている。連結部材３５は、揺動部材３４と、アーム３３と、連結棒３２とを含んでおり、揺動部材３４、アーム３３及び連結棒３２が連結されてリンク機構を構成している（図３及び図５参照）。揺動部材３４は、モータ軸３１ａと連結されている。また、アーム３３の一端３３ａは、揺動部材３４に連結されており、アーム３３の他端３３ｂは、垂直フラップ５１，６１と直接的に連結している連結棒３２の一端と連結されている。
【００４２】
また、揺動部材３４は、モータ配置空間Ｓ３に配置されている。一方で、連結棒３２は、吹出流路２１の内部空間Ｓ１に配置されている。そして、揺動部材３４及び連結棒３２のいずれもと連結しているアーム３３は、貫通開口２５ｂを貫通しており、吹出流路２１の内部空間Ｓ１とモータ配置空間Ｓ３とに跨って配置されている。
【００４３】
また、モータ３１が駆動することで、揺動部材３４及びアーム３３を介して連結棒３２が略左右方向（略水平方向）に移動する。より詳しくは、図５に示すように、揺動部材３４がモータ軸３１ａを中心として円弧を描くように左右に揺動されることで、揺動部材３４と連結しているアーム３３が、主として左右方向に移動する。そうすると、アーム３３と連結している連結部材３５も、主として左右方向に移動することになる（図３参照）。ここで、アーム３３及び連結棒３２は、側壁部２５において貫通開口２５ｂの周縁部分である開口形成部２５ａに交差する方向に延びているため、開口形成部２５ａに交差する方向に往復移動するといえる。なお、連結部材の移動方向はこれに限定されず、例えば、左右方向に直線状に移動するようなものであってもよい。
【００４４】
また、連結棒３２が主として左右方向に移動されることで、連結棒３２に連結されている右側フラップ群５０を構成する複数枚の垂直フラップ５１は、連結棒３２の移動に連動して左右方向に揺動し、所定の姿勢を採ることになる。なお、垂直フラップ５１の姿勢には、例えば、垂直フラップ５１の面５１ａが空調室内機１０の長手方向に対して垂直に延びる正面吹き姿勢（図６参照）、及び、垂直フラップ５１の面５１ａが空調室内機１０の長手方向に対して左右方向に傾斜して延びる左右吹き姿勢（図７参照）が含まれる。
【００４５】
垂直フラップ５１が正面吹き姿勢を採る場合には、室内ファン１４から吹き出された吹出空気は、垂直フラップ５１の面５１ａに沿って、吹出口１５の正面側（空調室内機１０の前方）に向かって吹出口１５から吹き出される。一方で、垂直フラップ５１が左右吹き姿勢を採る場合には、室内ファン１４から吹き出された吹出空気は、垂直フラップ５１の面５１ａに沿って、吹出口１５の正面側の空間に対する右側面側（空調室内機１０の右側方）に向かって吹出口１５から吹き出される。
【００４６】
また、本実施形態では、垂直フラップ５１が左右吹き姿勢を採るときに、最も側壁部２５に近い垂直フラップ５１の先端部が貫通開口２５ｂ近傍に位置することで、当該垂直フラップ５１に規制された吹出空気が貫通開口２５ｂに向かって流れるため、吹出流路２１の内部空間Ｓ１から貫通開口２５ｂを介してモータ配置空間Ｓ３へと吹出空気が最も流れ込みやすくなる。なお、本実施形態では、モータ３１の駆動により左右方向に往復移動するアーム３３が、右方向のストローク端にあるときに、すなわち、側壁部２５に近づく方向のストローク端にあるときに、垂直フラップ５１が左右吹き姿勢を採るように、設計されている。
【００４７】
さらに、アーム３３には、貫通開口２５ｂの開口面積よりも大きな面積を有する板状の防風部材３６が固定されている。防風部材３６は、垂直フラップ５１が左右吹き姿勢を採るときに貫通開口２５ｂを塞ぐことができるように、貫通開口２５ｂの開口面に対向するように配置されている。より詳しくは、防風部材３６は、アーム３３において吹出流路２１の内部空間Ｓ１に位置する部分であって、アーム３３が往復移動する際の側壁部２５に近づく方向のストローク端にあるときに貫通開口２５ｂを塞ぐことのできる位置に固定されている。このため、アーム３３が往復移動する際の側壁部２５に近づく方向のストローク端にない場合、例えば、垂直フラップ５１が正面吹き姿勢を採るときには、貫通開口２５ｂは開放されている。
【００４８】
ここで、本実施形態では、貫通開口２５ｂ，２６ｂをアーム３３，４３が貫通しており、アーム３３，４３に防風部材３６，４６が固定されているが、例えば、貫通開口２５ｂ，２６ｂを、連結棒３２，４２など他の連結部材３５，４５の部品が貫通する構成である場合には、その部品に防風部材３６，４６が固定されていてもよい。また、本実施形態では、防風部材３６，４６とアーム３３，４３とは別部材であるが、防風部材とアームとが一体成形されていてもよい。防風部材と連結部材とが一体成形されていれば、部品点数を削減でき、組立が容易になる。
【００４９】
（３）特徴
（３−１）
本実施形態では、連結部材３５，４５を移動させるためのモータ３１，４１が、吹出流路２１の外部空間Ｓ２であって、貫通開口２５ｂ，２６ｂを介して吹出流路２１の内部空間Ｓ１と連通している空間であるモータ配置空間Ｓ３に配置されている。また、連結部材３５，４５のアーム３３には、垂直フラップ５１，６１が所定姿勢を採るときに、貫通開口２５ｂ，２６ｂを介して吹出流路２１の内部空間Ｓ１からモータ配置空間Ｓ３へと吹出空気が流れ込むことを抑制するための防風部材３６，４６が固定されている。このため、垂直フラップ５１，６１が所定姿勢を採る場合には、吹出空気が、貫通開口２５ｂ，２６ｂを介して吹出流路２１の内部空間Ｓ１からモータ配置空間Ｓ３へと流れ込み難くなっている。
【００５０】
これによって、吹出流路２１の内部空間Ｓ１と連通している空間にモータ３１，４１が配置されていても、モータ３１，４１に結露が生じるおそれを低減することができている。
【００５１】
また、モータ３１，４１に結露が生じないようにモータ３１，４１に結露防止構造を設けるよりも、組み立てが容易であり、コストダウンになる。
【００５２】
（３−２）
本実施形態では、垂直フラップ５１，６１が左右吹き姿勢を採る場合に、吹出流路２１の内部空間Ｓ１から貫通開口２５ｂ，２６ｂを介してモータ配置空間Ｓ３へと吹出空気が最も流れ込みやすくなる。そこで、垂直フラップ５１，６１が左右吹き姿勢を採るときに貫通開口２５ｂ，２６ｂを塞ぐことができるように防風部材３６，４６を配置することで、吹出空気がモータ配置空間Ｓ３へと最も流れ込みやすいときに貫通開口２５ｂ，２６ｂが塞がれるため、貫通開口２５ｂ，２６ｂを介してモータ配置空間Ｓ３へと吹出空気が流れ込むおそれを更に低減することができている。
【００５３】
（３−３）
本実施形態では、揺動部材３４がモータ軸３１ａを中心として円弧を描くように左右に揺動されることで、揺動部材３４と連結しているアーム３３が主として左右方向に移動し、アーム３３と連結している連結部材３５が、主として左右方向に移動する。このように、連結部材３５，４５が主として左右方向に移動することで、垂直フラップ５１，６１の姿勢を左右方向に変更することができている。
【００５４】
また、連結部材３５，４５が主として左右方向に移動することで、連結部材３５，４５に固定されている防風部材３６，４６も主として左右方向に移動する。そして、本実施形態では、連結部材３５，４５及び防風部材３６，４６の移動方向に貫通開口２５ｂ，２６ｂが開口しているため、貫通開口２５ｂ，２６ｂを塞ぐための防風部材３６，４６の構成を簡易な構成にすることができる。
【００５５】
（３−４）
本実施形態では、アーム３３が右方向のストローク端にあり、アーム４３が左方向のストローク端にあるときに、垂直フラップ５１，６１が左右吹き姿勢を採るように、設計されている。そして、防風部材３６は、アーム３３が右方向のストローク端にあるときに貫通開口２５ｂを塞ぐことのできる位置に固定されており、防風部材４６は、アーム４３が左方向のストローク端にあるときに貫通開口２６ｂを塞ぐことのできる位置に固定されている。このため、垂直フラップ５１，６１が左右吹き姿勢を採るときに、防風部材３６，４６によって貫通開口２５ｂ，２６ｂを塞ぐことができている。
【００５６】
（３−５）
本実施形態では、防風部材３６，４６は、アーム３３，４３において吹出流路２１の内部空間Ｓ１に位置する部分に固定されている。このため、防風部材３６，４６は、吹出流路２１の内部空間Ｓ１に配置されているといえる。したがって、垂直フラップ５１，６１が左右吹き姿勢を採る場合には、防風部材３６，４６によって、吹出流路２１の内部空間Ｓ１側から貫通開口２５ｂ，２６ｂを塞ぐことができる。
【００５７】
（４）変形例
（４−１）変形例Ａ
上記実施形態では、垂直フラップ５１，６１が左右吹き姿勢を採るときに貫通開口２５ｂ，２６ｂを吹出流路２１の内部空間Ｓ１側から塞ぐように、防風部材３６，４６が吹出流路２１の内部空間Ｓ１に配置されている。
【００５８】
これに代えて、垂直フラップが左右吹き姿勢を採るときに貫通開口をモータ配置空間Ｓ３側から塞ぐように、防風部材がモータ配置空間Ｓ３に配置されていてもよい。また、図８に示すように、防風部材３６が、アーム３３においてモータ配置空間Ｓ３に位置する部分に固定されている場合には、連結棒３２と、貫通開口２５ｂを貫通しているアーム３３との間に揺動アーム３７を回動可能に連結することで、連結棒３２とアーム３３とを逆方向に移動させることができる。そして、モータ３１のモータ軸３１ａが左周りに回転することで、揺動部材３４、アーム３３及び揺動アーム３７を介して、連結棒３２を略右方向に移動させることができ、右側フラップ群に左右吹き姿勢を採らせることができる。なお、このとき、アーム３３は左方向に移動するため、アーム３３に固定されている防風部材３６もアーム３３の移動に連動して左方向、すなわち、開口形成部２５ａに近づく方向に移動する。したがって、左右方向に往復移動するアーム３３が側壁部２５に近づく方向のストローク端にあるときに、防風部材３６が貫通開口２５ｂを塞ぐことのできる位置に固定されていれば、垂直フラップが左右吹き姿勢を採るときに貫通開口２５ｂをモータ配置空間Ｓ３側から塞ぐことができる。
【００５９】
（４−２）変形例Ｂ
図９（ａ）は、変形例Ｂに係る空調室内機の貫通開口２５ｂ近傍の断面図である。図９（ｂ）は、変形例Ｂに係る空調室内機の貫通開口２５ｂ近傍を、吹出流路の内部空間Ｓ１側からみた図である。なお、図９中の矢印は、垂直フラップが左右吹き姿勢を採るときの吹出空気の流れを示している。
【００６０】
上記実施形態、或いは、上記変形例の構成に加えて、貫通開口に向かう空気流れを遮るための突出部が流路形成部材に設けられていてもよい。例えば、図９に示すように、突出部８０が、流路形成部材の側壁部２５の開口形成部２５ａから吹出流路の内側に突出するように設けられており、貫通開口２５ｂよりも空気流れ上流側に配置される遮蔽部８０ａを有する場合には、主に、この遮蔽部８０ａによって、貫通開口２５ｂに向かう空気流れを遮ることができるため、貫通開口２５ｂに向かって吹出空気が流れにくくなる。これにより、垂直フラップの姿勢に関係なく、貫通開口２５ｂに向かう空気流れを遮ることができ、貫通開口２５ｂを介して吹出流路の内部空間Ｓ１からモータ配置空間Ｓ３へと吹出空気が流れ込むおそれを低減することができる。これにより、モータ３１に結露が生じるおそれを更に低減することができる。
【００６１】
（４−３）変形例Ｃ
図１０（ａ）は、変形例Ｃに係る空調室内機の貫通開口２５ｂ近傍の断面図であって、蛇腹部材８１が延びている状態を示す図である。図１０（ｂ）は、変形例Ｃに係る空調室内機の貫通開口２５ｂ近傍の断面図であって、蛇腹部材８１が縮んでいる状態を示す図である。
【００６２】
上記実施形態、或いは、上記変形例の構成に加えて、防風部材３６とともに貫通開口２５ｂを塞ぐように弾性変形する部材が設けられていてもよい。例えば、防風部材３６と開口形成部２５ａとの間に、連結部材３５のアーム３３の移動方向に伸縮自在な蛇腹部材８１が配置されている場合には、アーム３３が移動されて防風部材３６が貫通開口２５ｂに近接することで、防風部材３６に押されて蛇腹部材８１が縮むことになる。そうすると、防風部材３６が貫通開口２５ｂと対向するように配置され、蛇腹部材８１が防風部材３６と開口形成部２５ａと間の隙間を覆うように配置される。この結果、防風部材３６と開口形成部２５ａとの間に隙間が生じ難くなり、貫通開口２５ｂから吹出空気がモータ配置空間Ｓ３へと漏れるおそれを低減することができる。
【００６３】
これによって、モータ３１に結露が生じるおそれを更に低減することができる。
【００６４】
また、図１０に示すように、蛇腹部材８１の他端８１ａが開口形成部２５ａにシール材等で固定されていれば、垂直フラップの姿勢に関係なく、貫通開口２５ｂを常に塞ぐことができるため、貫通開口２５ｂを介して吹出流路の内部空間Ｓ１からモータ配置空間Ｓ３へと吹出空気が流れ込むおそれを更に低減することができる。これにより、モータ３１に結露が生じるおそれを更に低減することができる。
【産業上の利用可能性】
【００６５】
本発明は、垂直フラップの姿勢を変更するためのモータに結露が生じるおそれを低減することができるため、垂直フラップを備える空調室内機への適用が有効である。
【符号の説明】
【００６６】
１０      空調室内機
１２      ケーシング
１５      吹出口
２１      吹出流路
２２      流路形成部材
２５ａ    開口形成部
８０ａ    遮蔽部
８１      蛇腹部材
２５ｂ，２６ｂ  貫通開口（開口）
３１，４１      モータ
３５，４５      連結部材
３６，４６      防風部材
５１，６１      垂直フラップ（フラップ）
【先行技術文献】
【特許文献】
【００６７】
【特許文献１】特開２０１１−３３３０６号公報
【図１】
2013238382.tif 000003
【図２】
2013238382.tif 000004
【図３】
2013238382.tif 000005
【図４】
2013238382.tif 000006
【図５】
2013238382.tif 000007
【図６】
2013238382.tif 000008
【図７】
2013238382.tif 000009
【図８】
2013238382.tif 000010
【図９】
2013238382.tif 000011
【図１０】
2013238382.tif 000012